(57)【要約】【課題】電動送風機の吸込効率の低下を抑制し、電動送風機の排気で生じる騒音を低減可能な電気掃除機を提案する。【解決手段】電気掃除機１の掃除機本体２は、接続口２ａと、電動送風機１２の吸気口１２ａとが、分離集塵部２８と、案内管部３４のディフューザ部４２に設けられたフィルタとを挟んで、互いに向かい合わせて対向させて配置される。掃除機本体２の側部には、電動送風機１２の排気を掃除機本体２の外部に案内する排気管部４８が形成される。排気管部４８は、掃除機本体２の略全長に亘って形成される。【選択図】  図５
2010075528.tif 000002
【特許請求の範囲】
【請求項１】
掃除機本体と、
前記掃除機本体に収容され、排気口を有する電動送風機と、
前記排気口に連通され、前記掃除機本体の側部に配置させて前記掃除機本体の略全長に亘って形成された排気管部とを備え、
前記排気管部は、
前記掃除機本体の一方の端部に配置された第一排気孔と、
前記掃除機本体の他方の端部に配置された第二排気孔とを有することを特徴とする電気掃除機。
【請求項２】
前記電動送風機の排気口は、前記掃除機本体の他方の端部側に偏倚させて配置され、
前記排気管部は、
前記電動送風機の排気口に連通され、前記第一排気孔を有する第一排気管と、
前記第一排気管の途中に連通され、前記第二排気孔を有する第二排気管とから構成されたことを特徴とする請求項１に記載の電気掃除機。
【請求項３】
前記掃除機本体は、集塵ホースが接続される接続口を有し、
前記電動送風機の吸気口は、前記接続口に向かい合う位置に配置されたことを特徴とする請求項１または２に記載の電気掃除機。
【請求項４】
前記電動送風機の上方に配置されたコードリール組立を備えたことを特徴とする請求項１から３のいずれか１項に記載の電気掃除機。
【請求項５】
前記電動送風機の後方に配置されたコードリール組立を備えたことを特徴とする請求項１から３のいずれか１項に記載の電気掃除機。
【発明の詳細な説明】
【技術分野】
【０００１】
本発明は、電動送風機の吐出口に連通された排気管を備えた電気掃除機に関する。
【背景技術】
【０００２】
従来の電気掃除機は、電動送風機が収容された掃除機本体を備える。電動送風機は、塵埃を吸い込む負圧を発生させるとともに、掃除機本体内に空気を排気する。
【０００３】
掃除機本体は、電動送風機の排気を掃除機本体の外に吐出させるための排気口を有する。一般に、掃除機本体の排気口は、掃除機本体の後端に設けられた複数の小さな開口を格子状に配置させて構成される（例えば、特許文献１）。
【特許文献１】特開２００６−２１７９４１号公報
【発明の開示】
【発明が解決しようとする課題】
【０００４】
従来の電気掃除機では、電動送風機の排気は、電送送風機の排気口から吐出された後、掃除機本体の後部に形成された比較的に流路長の短い空間を経て、掃除機本体の排気口から吐出される。この短い流路には、制御基板、電線、掃除機本体の補強用のリブなどの障害物が設けられ、排気流に風切り音などの騒音を発生させる。また、電動送風機の吸込効率を向上させることで、電気掃除機の除塵性能を向上できるが、電動送風機の吸込効率を向上させると、排気流による騒音の増大が問題になる。
【０００５】
一方、電動送風機は、一般に電源供給用の電源コードが巻き取られたコードリールに並設される。このため、掃除機本体の接続口と、電動送風機の吸気口とは、互いに向かい合わせて対向された位置に配置され難い。そうすると、いわゆる紙パックを分離集塵部に用いる電気掃除機では、掃除機本体の接続口から電動送風機の吸気口との間で損失を生じることになる。
【０００６】
本発明は、電動送風機の排気で生じる騒音を低減可能で、吸込効率の低下を抑制できる電気掃除機を提案する。
【課題を解決するための手段】
【０００７】
前記の課題を解決するため本発明では、掃除機本体と、前記掃除機本体に収容され、排気口を有する電動送風機と、前記掃除機本体側部に配置され、前記掃除機本体の略全長に亘って形成され、前記排気口に連通された排気管部とを備え、前記排気管部は、前記掃除機本体の一方の端部に配置された第一排気孔と、前記掃除機本体の他方の端部に配置された第二排気孔とを有することを特徴とする。
【発明の効果】
【０００８】
本発明によれば、電動送風機の排気で生じる騒音を低減可能で、吸込効率の低下を抑制できる電気掃除機を提案できる。
【発明を実施するための最良の形態】
【０００９】
本発明に係る電気掃除機の実施形態について図１から図８を参照して説明する。
【００１０】
図１は、本発明に係る電気掃除機の外観を示した斜視図である。
【００１１】
図１に示すように、本実施形態に係る電気掃除機１は、掃除機本体２と、集塵ホース３と、手元操作管４と、把持部５と、操作部６と、延長管７と、吸込口体８とを備える。
【００１２】
掃除機本体２には接続口２ａが形成される。接続口２ａには集塵ホース３の一端が着脱自在に接続される。掃除機本体２は、電源コード９を備える。電源コード９の自由端部には、電源プラグ１０が形成される。
【００１３】
集塵ホース３は可撓性を有し、湾曲可能な細長略円筒状に形成される。集塵ホース３の一端は接続口２ａに着脱可能に接続されて、掃除機本体２の内部に連通される。
【００１４】
手元操作管４の一端は集塵ホース３の他端に設けられ、集塵ホース３を介して掃除機本体２の内部に連通される。
【００１５】
把持部５は電気掃除機１の使用者が把持して電気掃除機１を操作するものである。把持部５は手元操作管４の他端部から、集塵ホース３が設けられた手元操作管４の一端部に向かって、湾曲させて突設される。
【００１６】
操作部６は把持部５に設けられる。操作部６が電気掃除機１の使用者に操作されると、電気掃除機１は複数の駆動モードに設定される。操作部６は電気掃除機１の運転を停止させる切スイッチ６ａや電気掃除機１の運転を開始させる起動スイッチ６ｂなどを有する。
【００１７】
延長管７は、伸縮可能な細長略円筒状に形成される。延長管７の一端は手元操作管４の他端に着脱可能に接続されて、手元操作管４および集塵ホース３を介して掃除機本体２の内部に連通される。
【００１８】
吸込口体８は、延長管７の一端に着脱可能に接続されて、延長管７、手元操作管４および集塵ホース３を介して掃除機本体２の内部に連通される。
【００１９】
図２は、本発明に係る電気掃除機の掃除機本体の平面図である。
【００２０】
なお、説明を容易にするために以下、図２に示す姿勢を基本姿勢とし、掃除機本体２の前進方向（図２中、実線矢Ｘ）を前方、その反対方向を後方とする。また、掃除機本体２の後から前を見たときに左側（図２中、実線矢Ｙ）を左方、その反対方向を右方とする。さらに、掃除機本体２の前後方向および左右方向に直交する右手座標系の＋Ｚ方向を上方とし、その反対方向を下方とする。
【００２１】
図２に示すように、電気掃除機１の掃除機本体２は、電動送風機１２が収容された本体ケース１３と、本体ケース１３の前方上部を覆う開閉自在な蓋ケース１４と、本体ケース１３の側方後部に設けられた後輪１５と、運搬用のハンドル１７とを備える。
【００２２】
本体ケース１３は、平面視で前後方向に長辺を有する略長方形状に形成される。本体ケース１３の中央上部には、電源コード９が引出自在に巻き取られたコードリール１８が収容される。本体ケース１３の前側のそれぞれの側部には、電動送風機１２の排気の一部が吐出される前部排気孔２０（第一排気孔）が開口される。また、本体ケース１３の後側のそれぞれの側部には、電動送風機１２の排気の他の部分が吐出される後部排気孔２１（第二排気孔）が開口される。すなわち、電動送風機１２の排気は、前部排気孔２０と後部排気孔２１とから掃除機本体２の外部に吐出される。
【００２３】
蓋ケース１４は、トーションばねなどの弾性体（図示省略）によって開く方向に付勢される。
【００２４】
図３は、本発明に係る電気掃除機の掃除機本体の正面図である。
【００２５】
図３に示すように、電気掃除機１の掃除機本体２は、本体ケース１３の下面部に前輪２２を備える。前輪２２は、掃除機本体２の上下方向に沿う軸回りに回動自在に軸支される。
【００２６】
本体ケース１３の前面には、蓋ケースクランプ２４が設けられる。蓋ケースクランプ２４は、本体ケース１３に揺動可能に軸支される。蓋ケース１４の前縁部には、フック（図示省略）が形成される。フックが蓋ケースクランプ２４に係止されると、蓋ケース１４は閉じた状態で保持される。
【００２７】
本体ケース１３は、蓋ケースクランプ２４の下方に接続口２ａを有する。接続口２ａは、本体ケース１３の内部に連通される。
【００２８】
本体ケース１３は、前面下方両側部に、それぞれ前部排気孔２０（第一排気口）を有する。前部排気孔２０は、掃除機本体２の前方に向けて開口される。
【００２９】
図４は、本発明に係る電気掃除機の掃除機本体の背面図である。
【００３０】
図４に示すように、電気掃除機１の掃除機本体２は、本体ケース１３の後方下端に転倒防止用突起２５を備える。転倒防止用突起２５は、円柱状に形成され、その軸芯を掃除機本体２の左右方向に向けられ、本体ケース１３の後方下端の稜線に沿って配置される。転倒防止用突起２５は、集塵ホース３や手元操作管４が引っ張られて、掃除機本体２が後輪１５回りに回動されて、掃除機本体２の前方が持ち上げられると、被掃除面Ｆに当接される。被掃除面Ｆに当接された転倒防止用突起２５は、掃除機本体２の後輪１５回りの回動を抑止する。
【００３１】
本体ケース１３の上方には、コードリール収容部２６が形成される。コードリール収容部２６には、回転軸を上下方向に向けられたコードリール１８が収容される。コードリール収容部２６は、電源コード９の引出口２７を有する。引出口２７は、掃除機本体２の上方寄りに開口されるので、電源コード９を容易に引き出せる。
【００３２】
本体ケース１３は、その後面両側部中央にそれぞれ後部排気孔２１を有する。後部排気孔２１は、掃除機本体２の後方に向けて開口される。
【００３３】
図５は、図２のＶ−Ｖ線に沿う断面図であり、本発明に係る電気掃除機の掃除機本体の縦断面図である。
【００３４】
図５に示すように、電気掃除機１の掃除機本体２は、分離集塵部２８が収容された分離集塵室２９を有する。分離集塵室２９は、本体ケース１３の前部に形成され、掃除機本体２の上方に開口された凹没部３１と、凹没部３１を覆う蓋ケース１４の内側とで区画された空間である。分離集塵部２８は、紙パックフィルタ等の集塵フィルタである。
【００３５】
本体ケース１３は、電動送風機１２が収容された電動送風機ケース部３２と、電動送風機ケース部３２の吸込口３３と分離集塵室２９とを連通させる案内管部３４と、接続口２ａと分離集塵室２９とを連通させる接続管部３５とを備える。
【００３６】
電動送風機ケース部３２の吸込口３３の周縁部には、筒状のシール部材（図示省略）が設けられる。シール部材は、吸込口３３と電動送風機１２の吸気口１２ａとを連通させるとともに、電動送風機１２の吸気口１２ａ側と、排気口１２ｂ側とを区画する。他方、電動送風機ケース部３２の吐出口３９は、電動送風機１２の排気口１２ｂに対向させて配置される。電動送風機ケース部３２には、電動送風機１２の重心近傍を弾性的に支持する弾性支持部４０が設けられる。弾性支持部４０は、略円筒状に形成された電動送風機１２のラジアル方向を弾性的に支持する。
【００３７】
案内管部３４は、分離集塵室２９から電動送風機ケース部３２に向かうにつれて流路の断面積が小さくなるディフューザ部４２と、ディフューザ部４２に連続させて形成された直管部４３とから構成される。ディフューザ部４２の前端部には、分離集塵部２８を通過した細塵が捕集されるフィルタ４４が設けられる。直管部４３の自由端側４６は、電動送風機ケース部３２の吸込口３３に連通される。
【００３８】
本体ケース１３のコードリール収容部２６は、電動送風機ケース部３２の上方に形成される。掃除機本体２は、コードリール収容部２６が電動送風機ケース部３２の上方に配置されたことで、接続口２ａと、接続管部３５と、案内管部３４の直管部４３と、電動送風機ケース部３２の吸込口３３と、電動送風機１２の吸気口１２ａとのそれぞれの中心が略同一直線Ｃ上に配置できる。接続口２ａと、電動送風機１２の吸気口１２ａとは、分離集塵部２８と、案内管部３４のディフューザ部４２に設けられたフィルタ４４とを挟んで、互いに向かい合わせて対向させて配置される。
【００３９】
図６は、図３のＶＩ−ＶＩ線に沿う断面図であり、本発明に係る電気掃除機の掃除機本体の平断面図である。
【００４０】
図６に示すように、掃除機本体２の本体ケース１３は、電動送風機ケース部３２の吐出口３９に連通された排気管部４８を備える。
【００４１】
排気管部４８は、電動送風機１２の排気を掃除機本体２の外部に案内する排気流路である。排気管部４８は、本体ケース１３の側部に配置され、本体ケース１３の前端部から後端部、すなわち掃除機本体２の略全長に亘って形成される。排気管部４８の後端部は、電動送風機ケース部３２に一体に形成され、電動送風機ケース部３２の吐出口３９は、排気管部４８の入口を兼ねる。すなわち、排気管部４８は、電動送風機ケース部３２の吐出口３９を介して電動送風機１２の排気口１２ｂに連通される。
【００４２】
また、排気管部４８は、流路の途中で分岐された排気管であり、電動送風機ケース部３２の吐出口３９に連通され、前部排気孔２０を有する下部排気管４９（第一排気管）と、下部排気管４９の途中に連通され、後部排気孔２１を有する上部排気管５０（第二排気管）とから構成される。
【００４３】
下部排気管４９は、電動送風機ケース部３２の側部から案内管部３４の側部を経て、分離集塵室２９の側方に亘って形成される。下部排気管４９には、案内管部３４の側部において、ディフューザ部４２と直管部４３との口径差に対応させて屈曲部５２が形成される。下部排気管４９の後端部は、電動送風機ケース部３２の吐出口３９に連通され、下部排気管４９の前端部は、前部排気孔２０から掃除機本体２の外部に開放される。
【００４４】
図７は、図４のＶＩＩ−ＶＩＩ線に沿う断面図であり、本発明に係る電気掃除機の掃除機本体の平断面図である。
【００４５】
図７に示すように、本体ケース１３の排気管部４８は、下部排気管４９の上方に上部排気管５０を備える。
【００４６】
上部排気管５０は、案内管部３４の直管部４３の側方において下部排気管４９に連通され、電動送風機ケース部３２の側方に亘って形成される。上部排気管５０の前端部は、下部排気管４９に連通され、上部排気管５０の後端部は、後部排気孔２１から掃除機本体２の外部に開放される。上部排気管５０と下部排気管４９とは、案内管部３４の直管部４３の側部、すなわち下部排気管４９の屈曲部５２の近傍に形成された連通口５３を介して、互いに連通される。
【００４７】
図８は、図３のＶＩＩＩ−ＶＩＩＩ線に沿う断面図であり、本発明に係る電気掃除機の掃除機本体の縦断面図である。
【００４８】
図８に示すように、本体ケース１３の側部に形成された排気管部４８は、本体ケース１３の後方下側部で電動送風機ケース部３２の吐出口３９に連通される。電動送風機ケース部３２の吐出口３９は、電動送風機１２の排気口１２ｂに対向させて配置される。
【００４９】
排気管部４８の下部排気管４９は、掃除機本体２の下面に沿わせて形成され、掃除機本体２の略後端部から略前端部まで、すなわち掃除機本体２の略全長に亘って形成される。排気管部４８の上部排気管５０は、下部排気管４９の上方に配置され、掃除機本体２の略中央に配置された案内管部３４の直管部４３の側方部から掃除機本体２の後端部に亘って形成される。排気管部４８には、下部排気管４９内の下部排気流路５４と、上部排気管５０内の上部排気流路５５とが形成される。排気管部４８の内面には、適宜に吸音材を貼付しても良い。
【００５０】
下部排気管４９のうち分離集塵室２９の側方に位置された部分の流路断面は略半円状に形成される。また、下部排気管４９および上部排気管５０のうち電動送風機ケース部３２の側方に位置された部分の流路断面は、略円筒状に形成された電動送風機ケース部３２に対応させて円が部分的に切りかかれた形状となる。下部排気管４９および上部排気管５０の他の部分の流路断面は、概ね円形状に形成される。
【００５１】
電動送風機１２は、電動送風機ケース部３２に覆われるとともに、その側方が排気管部４８に、その上方がコードリール収容部２６およびコードリール１８に囲まれる。
【００５２】
電動送風機１２が作動すると、電動送風機１２の吸気口１２ａから吸い込まれた空気は、排気口１２ｂから吐出され排気管部４８に案内される。排気管部４８に案内された空気は、下部排気流路５４を通過して前部排気孔２０に至り掃除機本体２の外部に排気される流れ（実線矢Ａ）を形成するとともに、下部排気流路５４から連通口５３を経て上部排気流路５５を通過して後部排気孔２１に至り掃除機本体２の外部に排気される流れ（実線矢Ｂ）を形成する。したがって、電動送風機１２の排気は、下部排気管４９と上部排気管５０とに分流されて掃除機本体２から排気される。
【００５３】
また、電動送風機１２の作動にともない、電動送風機１２から発生する音は、電動送風機１２を覆う電動送風機ケース部３２と、その側方に配置された排気管部４８と、その上方に配置されたコードリール収容部２６およびコードリール１８とで遮蔽されて、掃除機本体２の外部に伝ぱし難い。
【００５４】
なお、掃除機本体２は、コードリール収容部２６およびコードリール１８を、本体ケース１３の後端に配置させることもできる。コードリール収容部２６およびコードリール１８は、電動送風機１２が収容された電動送風機ケース部３２の後方に配置される。コードリール１８の回転軸は掃除機本体２の前後方向に向けて配置される。この場合には、排気管部４８の上部排気管５０は、案内管部３４の直管部４３の側方において下部排気管４９に連通され、電動送風機ケース部３２の側方を経てコードリール１８の側方に亘って形成される。したがって、上部排気管５０は、コードリール１８もしくはコードリール収容部２６の寸法分だけ長く形成できる。
【００５５】
次に、本実施形態に係る電気掃除機１の掃除動作を説明する。
【００５６】
電気掃除機１の使用者は、先ず、掃除機本体２の接続口２ａに集塵ホース３を接続する。次いで、手元操作管４に延長管７を接続する。さらに、延長管７に吸込口体８を接続する。
【００５７】
次に、電気掃除機１の使用者は、掃除機本体２から電源コード９を引き出して、商用電源を供給するコンセント（図示省略）に電源プラグ１０を接続する。
【００５８】
次に、電気掃除機１の使用者は、吸込口体８を床面などの被掃除面上に配置するとともに、把持部５を把持して起動スイッチ６ｂを操作する。そうすると、起動スイッチ６ｂで設定された動作モードに応じて電動送風機１２が作動する。電動送風機１２が作動すると、案内管部３４と、分離集塵室２９と、接続管部３５とを介して掃除機本体２の接続口２ａに負圧が作用する。
【００５９】
掃除機本体２の接続口２ａに作用した負圧は、接続口２ａから集塵ホース３と手元操作管４と延長管７とを経て吸込口体８に作用する。
【００６０】
次いで、電気掃除機１の使用者は、前進および後退を交互に繰り返して吸込口体８を走行する。そうすると、吸込口体８は、被掃除面から空気とともに塵埃を吸い込む。
【００６１】
吸込口体８に吸い込まれた含塵空気は、延長管７と手元操作管４と集塵ホース３とを順次に通過した後、掃除機本体２の接続口２ａに案内される。
【００６２】
掃除機本体２の接続口２ａに案内された含塵空気は、分離集塵室２９に収容された分離集塵部２８に案内される。分離集塵部２８に案内された含塵空気は、塵埃と空気とにろ過分離される。含塵空気から分離された塵埃は分離集塵部２８に捕集される。なお、分離集塵部２８を通過した細塵は、案内管部３４のディフューザ部４２に設けられたフィルタに捕集される。他方、含塵空気から分離された空気は、案内管部３４を通過して、電動送風機ケース部３２の吸込口３３を通って、電動送風機１２の吸気口１２ａに吸い込まれる。
【００６３】
電動送風機１２に吸い込まれた空気は、電動送風機１２のモータ部（図示省略）を冷却しつつ、排気口１２ｂから排気される。電動送風機１２の排気は、電動送風機ケース部３２の吐出口３９から排気管部４８に導入される。排気管部４８に導入された排気は、下部排気管４９に沿って前部排気孔２０から掃除機本体２の外部に排気されるとともに、上部排気管５０に沿って後部排気孔２１から掃除機本体２の外部に排気される。
【００６４】
電気掃除機１の使用者は、掃除が終了すると、切スイッチ６ａを操作して電動送風機１２の運転を終了し、電気掃除機１を停止する。
【００６５】
本実施形態に係る電気掃除機１によれば、掃除機本体２は、接続口２ａと、接続管部３５と、案内管部３４の直管部４３と、電動送風機ケース部３２の吸込口３３と、電動送風機１２の吸気口１２ａとのそれぞれの中心が略同一直線Ｃ上に配置されるので、電動送風機１２の吸込効率を損なうことなく集塵ホース３から吸込口体８に負圧を発生できる。
【００６６】
また、本実施形態に係る電気掃除機１によれば、排気管部４８の下部排気管４９および上部排気管５０の内面は、従来の電気掃除機のように、制御基板、コードリール、補強リブなどの障害物がなく、急峻な流路断面形状の変化がないので、電動送風機１２の排気流を乱すことなく、騒音の発生を抑制する。下部排気管４９および上部排気管５０は、部分的に断面積が変化する部分を備えるので、電動送風機１２の排気で発生する騒音の圧力波を減衰、分散させて騒音を抑制できる。
【００６７】
さらに、本実施形態に係る電気掃除機１によれば、排気管部４８は、掃除機本体２の略全長に亘って設けられ、従来の電気掃除機の排気部と比較して流路長を長く、容積を大きく形成できるので、より騒音を抑制できる。
【００６８】
さらにまた、本実施形態に係る電気掃除機１によれば、排気管部４８は、掃除機本体２の前後に前部排気孔２０および後部排気孔２１を備え、従来の電気掃除機の排気部と比較して排気口の総面積を容易に大きくできるので、排気流の流速を十分に低下して騒音を抑制できる。
【００６９】
また、本実施形態に係る電気掃除機１によれば、コードリール１８を掃除機本体２の上方または後方に配置させたことで、接続口２ａと電動送風機１２の吸気口１２ａとは、互いに向かい合わせて対向させて配置され、電動送風機１２の吸込効率を損失させることなく接続口２ａを経て吸込口体８に負圧を伝えることができる。
【００７０】
さらに、本実施形態に係る電気掃除機１によれば、コードリール１８を掃除機本体２の後方に配置させたことで、上部排気管５０の排気流路長をより長く構成できるので、より騒音を抑制できる。
【００７１】
したがって、本実施形態に係る電気掃除機１によれば、電動送風機１２の吸込効率の低下を抑制し、電動送風機１２の排気で生じる騒音を低減できる。
【図面の簡単な説明】
【００７２】
【図１】本発明に係る電気掃除機の外観を示した斜視図。
【図２】本発明に係る電気掃除機の掃除機本体の平面図。
【図３】本発明に係る電気掃除機の掃除機本体の正面図。
【図４】本発明に係る電気掃除機の掃除機本体の背面図。
【図５】図２のＶ−Ｖ線に沿う断面図であり、本発明に係る電気掃除機の掃除機本体の縦断面図。
【図６】図３のＶＩ−ＶＩ線に沿う断面図であり、本発明に係る電気掃除機の掃除機本体の平断面図。
【図７】図４のＶＩＩ−ＶＩＩ線に沿う断面図であり、本発明に係る電気掃除機の掃除機本体の平断面図。
【図８】図３のＶＩＩＩ−ＶＩＩＩ線に沿う断面図であり、本発明に係る電気掃除機の掃除機本体の縦断面図。
【符号の説明】
【００７３】
１  電気掃除機
２  掃除機本体
２ａ  接続口
３  集塵ホース
４  手元操作管
５  把持部
６  操作部
６ａ  切スイッチ
６ｂ  起動スイッチ
７  延長管
８  吸込口体
９  電源コード
１０  電源プラグ
１２  電動送風機
１２ａ  吸気口
１２ｂ  排気口
１３  本体ケース
１４  蓋ケース
１５  後輪
１７  ハンドル
１８  コードリール
２０  前部排気孔
２１  後部排気孔
２２  前輪
２４  蓋ケースクランプ
２５  転倒防止用突起
２６  コードリール収容部
２７  引出口
２８  分離集塵部
２９  分離集塵室
３１  凹没部
３２  電動送風機ケース部
３３  吸込口
３４  案内管部
３５  接続管部
３９  吐出口
４０  弾性支持部
４２  ディフューザ部
４３  直管部
４４  フィルタ
４６  自由端側
４８  排気管部
４９  下部排気管
５０  上部排気管
５２  屈曲部
５３  連通口
５４  下部排気流路
５５  上部排気流路
【図１】
2010075528.tif 000003
【図２】
2010075528.tif 000004
【図３】
2010075528.tif 000005
【図４】
2010075528.tif 000006
【図５】
2010075528.tif 000007
【図６】
2010075528.tif 000008
【図７】
2010075528.tif 000009
【図８】
2010075528.tif 000010